(57)【特許請求の範囲】
【請求項１】
成形品の一部を成形するための第１キャビティが設けられた第１入子を保持する下型と、成形品の他部を成形するための第２キャビティが設けられた第２入子を保持する上型とを備え、前記上型に設けたスプルーと前記第１キャビティまたは前記第２キャビティのゲートとをランナで連結した金型装置において、
前記第１入子または前記第２入子の内の少なくとも一方の入子は、回動可能な回動式入子であり、
前記ランナは、前記回動式入子を囲む環状部を有し、
前記回動式入子は、テーパ付き円筒穴に挿入されており、前記回動式入子の中間部の外周には、所定の間隔で複数の位置決め溝が設けられており、
前記位置決め溝に嵌め込まれる位置決めブロックを備えることを特徴とする射出成形の金型装置。
【請求項２】
請求項１に記載の射出成形の金型装置において、
前記位置決め溝は、縦溝であり、
前記縦溝は上方が狭まるテーパ溝であることを特徴とする射出成形の金型装置。
【請求項３】
請求項１または請求項２に記載の射出成形の金型装置において、
前記回動式入子の中間部の外周には、前記テーパ付き円筒穴の下端部に係止される係止段と、側方から固定キーが嵌め込まれるロック溝とが上下に平行して周設されており、
前記位置決め溝は、前記係止段と前記ロック溝との間に設けられていることを特徴とする射出成形の金型装置。
【発明の詳細な説明】
【０００１】
【発明の属する技術分野】
本発明は、樹脂の射出成形を行うための金型に係り、例えば自動車用スピードセンサのスティ部品など車種によりスティの角度が異なる多種の部品を射出成形する用途に好適な金型装置に関する。
【０００２】
【従来の技術】
自動車用スピードセンサなどのスティ部品は、リード線引き出し部などが設けられた同一形状の基部と、該基部に対し同じ形状であるが、車種、型式などにより角度が異なるスティ部とからなる。このように、主となる部分と付属する部分とが取り付く角度の位置関係が異なる多種の成形品を、効率的に射出成形する技術として、回動自在な入子を回動して位置決め手段で固定する回動式入子を採用し、必要とする金型または入子の数を低減する考案がある（例えば、実開昭６０‐８８７１４号公報、実開昭６１‐１３３３２３号公報、実開平６‐３６８２１号公報）。
【０００３】
【発明が解決しようとする課題】
しかるに、従来の回動式入子を用いた金型装置では、上型に設けた樹脂注入口であるスプルーと、入子内に設けられた成形品形状空所（キャビティ）の樹脂導入口であるゲートとを連結する、樹脂流路としてのランナの形成方法について充分な配慮がなされていなかった。
本発明の目的は、スプルーとゲートとを連結するランナに回動式入子を囲んだ環状部を設けることにより、回動式入子の任意の設定位置において、樹脂をキャビティへ円滑、迅速に注入できる射出成形の金型装置を提供にある。
【０００４】
【課題を解決するための手段】
本発明の射出成形の金型装置は、成形品の一部を成形するための第１キャビティが設けられた第１入子を保持する下型と、成形品の他部を成形するための第２キャビティが設けられた第２入子を保持する上型とを備え、上型に設けたスプルーと第１キャビティまたは第２キャビティのゲートとをランナで連結した金型装置において、第１入子または第２入子の内の少なくとも一方の入子は、回動可能な回動式入子であり、ランナは、回動式入子を囲む環状部を有し、回動式入子は、テーパ付き円筒穴に挿入されており、回動式入子の中間部の外周には、所定の間隔で複数の位置決め溝が設けられており、位置決め溝に嵌め込まれる位置決めブロックを備える。
【０００５】
このため、回動式入子に設けたゲートとランナとは回動式入子の任意の回動位置において常に連結する。
これにより、主となる部分（一部）と付属する部分（他部）との取付角度の位置関係が異なる多種の成形品を射出成形する場合に、回動式入子が如何なる回動位置に設定されても、樹脂を円滑、且つ迅速に注入することができる。
【０００６】
【発明の実施の形態】
図１〜図５は、本発明にかかる金型装置１を示し、水平に配置されるとともに上下に平行している固定側取付板１１と、可動側取付板１２との間に設置されている。固定側取付板１１と可動側取付板１２とは、いずれも矩形を呈し、固定側取付板１１の中心には樹脂の注入穴１３がテーパ状に設けられ、可動側取付板１２の中心にはエジェクタ２のロッド２１が挿通する挿通穴１４が開けられている。
【０００７】
固定側取付板１１の下面には固定側型板３が重ねられ、固定側型板３の下面には可動側型板４が重ねられ、可動側型板４の下面には可動側受け板５が重られている。可動側受け板５の下面の左右の縁部と可動側取付板１２の上面との間にはスペーサーブロック１５、１５が嵌め込まれ、スペーサーブロック１５、１５の間は空間となっている。
【０００８】
スペーサーブロック１５、１５の間には、ロッド２１の上端に支持されたエジェクタプレート２２が上下動可能に配置されている。エジェクタプレート２２は、下側板２３および上側板２４を重ねた構造を有し、上側板２４からは、樹脂成形品および樹脂流路内の樹脂を上方に押し出すための所定数のエジェクタピン（ノックピン）２５が垂直に突設されている。
【０００９】
固定側型板３には、中心に開けられたスプルー穴３１に、樹脂通路３２１を形成したスプルーブッシュ３２が嵌め込まれている。固定側型板３の下面には、本実施例では、４つの固定式入子用の円柱形凹所３３が格子状に形成されている。各円柱形凹所３３には、円柱形の固定式入子６がそれぞれ嵌め込まれている。各固定式入子６の下面には、成形品の基部の形状に対応して、基部キャビティ６０が設けられている。
本実施例では、基部キャビティ６０は、自動車用スピードセンサのスティ部品の基部の形状である円柱形状をしている。なお、円柱形凹所３３（固定式入子）の数は、適宜に設計できることは当然である。
【００１０】
可動側型板４には、円柱形凹所３３に対応して、４つの可動入子用のテーパ付き円筒穴４１が開けられるとともに、上面にはこれら４つの円筒穴４１を囲む矩形凹所４２が形成されている。
矩形凹所４２には、４つの円筒穴４１に対応して４つのテーパ付き丸穴４３が開けられるとともに、上面に所定のパターン（図ではＩ字形）でランナ４４が掘られたランナプレート４５が嵌め込まれている。
可動側受け板５には、４つの円筒穴４１に対応して、４つの可動入子用の円柱形凹所５１が形成されている。
【００１１】
円筒穴４１、丸穴４３および円柱形凹所５１からなる空所には、回動式入子７が嵌め込まれている。回動式入子７の上面には、成形品の基部に対して角度が異なる変形部の形状に対応した変形部キャビティ７０が形成されている。
本実施例では、変形部キャビティ７０は、自動車用スピードセンサのスティ部品のスティ部分の形状である滴型部７１と、該滴型部７１から下方に延長され基部キャビティ６０と同軸を有する円柱部７２とからなる。
回動式入子７の上面７３の外周縁には、ランナプレート４５のランナ４４に連結する環状ランナ７４が周設されている。変形部キャビティ７０と環状ランナ７４とは、回動式入子７の上面７３に設けたゲート７５により連結している。
【００１２】
回動式入子７の中間部の外周には、係止段７６とロック溝７７とが上下に平行して周設され、係止段７６とロック溝７７と間には、多数の縦溝７８群からなる位置決め溝が所定の間隔で帯状に列設されている。各縦溝７８は、上方が狭まるテーパ溝となっている。
回動式入子７は、ロック溝７７の下方が円柱形凹所５１に嵌め込まれている。
縦溝７８群の側方に位置する可動側型板４の下面には、位置決めブロック装着溝５２が設けられており、位置決めブロック５３が嵌め込まれている。
【００１３】
位置決めブロック５３には、縦溝７８と噛み合う上下方向の突条５４が設けられている。また、位置決めブロック５３から９０度隔てた縦溝７８群の側方には、ロック溝７７に嵌まり込んで回動式入子７を上下方向に固定する固定キー５６が設けられている。
可動側受け板５の側方には、アクチュエータ５７が取り付けられ、固定キー５６を駆動するようになっている。
【００１４】
本実施例では、基部キャビティ６０および変形部キャビティ７０で成形される射出成形品は、基部が円筒形、可変部が締結用スティ付きの円筒部となっている自動車用スピードセンサのボディであり、自動車の車種、型式により、リード線の引き出し穴が設けられた基部と、車体または機関への締結部である雫型のスティとの相対角度が異なる多種類の部品を準備する必要がある。
このために、回動式入子７を所定の位置に回動させ、縦溝７８に突条５４を噛み合わせるとともに固定キー５６で固定した状態で金型装置１を組み付ける。
【００１５】
本実施例では、回動式入子７の上面の外周縁にランナプレート４５のランナ４４に連結する環状ランナ７４を設けている。また、変形部キャビティ７０と環状ランナ７４とは、回動式入子７の上面に設けたゲート７５により連結している。このため、回動式入子７の任意の回動位置において、ゲート７５は環状ランナ７４に連結できる。よって、締結用ステーの角度の自由度が増大する。
【図面の簡単な説明】
【図１】本発明の射出成形の金型の断面図である。
【図２】図１のＡ‐Ａ視図である。
【図３】回動式入子の平面図である。
【図４】回動式入子の正面断面図（図３のＢ‐Ｂ断面図）である。
【図５】回動式入子の側面断面図（図３のＣ‐Ｃ断面図）である。
【符号の説明】
１  金型装置
２  エジェクタ
３  固定側型板（上型）
４  可動側型板（下型）
５  可動側受け板（下型）
６  固定式入子（第２入子）
７  回動式入子（第１入子）
４１  円筒穴（テーパ付き円筒穴）
４４  ランナ
５３  位置決めブロック
５６  固定キー
６０  基部キャビティ（第２キャビティ）
７０  変形部キャビティ（第１キャビティ）
７４  環状ランナ（環状部）
７５  ゲート
７６  係止段
７７  ロック溝
７８  縦溝（位置決め溝）
【図１】
0003815053.tif 000002
【図２】
0003815053.tif 000003
【図３】
0003815053.tif 000004
【図４】
0003815053.tif 000005
【図５】
0003815053.tif 000006